(57)【要約】【課題】非接触型ＩＣカードを備えたユーザの携帯型端末を利用して、複数のユーザにより生成するコミュニティに対するポイントサービスを提供するポイントサービスシステム等を提供する。【解決手段】サーバ１０１は、携帯型端末１０３からの複数のメンバからなるコミュニティ登録要求に伴い、共通ＩＤ、ポイントを付与する顧客情報３１０を顧客情報データベース３０１に登録する。リーダライタ端末１０５に携帯型端末１０３をかざすと、携帯型端末１０３は非接触型ＩＣカード部１０７を介して検出信号を受信しサーバ１０１にポイント登録要求を送信し、サーバ１０１は顧客情報３１０に加算したポイントを保持し、同じ共通ＩＤを有する顧客情報のポイントを合算し、メンバ全ての携帯型端末１０３に合算ポイントに応じたイベント情報を提供するＵＲＬ情報１４を通知する。【選択図】図７
2007157010.tif 000002
【特許請求の範囲】
【請求項１】
非接触型ＩＣカードを備えた複数のユーザの携帯型端末と、ネットワークを介して接続され、ポイントサービスを提供するサーバであって、
前記携帯型端末からの、複数のユーザの携帯型端末からなるコミュニティ登録要求に伴い、メンバ全ての前記携帯型端末に共通する共通ＩＤ、ポイント情報を少なくとも有する顧客情報を、顧客情報データベースに登録、保持するコミュニティ登録手段と、
前記携帯型端末からのポイント登録要求に伴い、前記顧客情報データベースの当該携帯型端末に応じた顧客情報に、加算したポイントのポイント情報を登録、保持するポイント登録手段と、
前記ポイント登録手段によるポイント登録後、前記顧客情報データベースに基づいて、同じ共通ＩＤを有する顧客情報のポイントを合算するポイント合算手段と、
前記ポイント合算手段により合算したポイントに応じて、同じ共通ＩＤを有するメンバ全ての前記携帯型端末に、ポイントサービスのイベント情報を提供するＵＲＬを通知するＵＲＬ通知手段と、
を具備することを特徴とするサーバ。
【請求項２】
前記ポイント登録手段によるポイント登録後、当該ポイント登録状況を同じ共通ＩＤを有する他のメンバの携帯型端末にメール送信するポイント状況通知手段、
を、更に具備することを特徴とする請求項１記載のサーバ。
【請求項３】
前記顧客情報には、当該携帯型端末の固有ＩＤ、メールアドレスを有することを特徴とする請求項１又は請求項２記載のサーバ。
【請求項４】
前記携帯型端末の固有ＩＤは、前記非接触型ＩＣカードに記憶された契約者識別情報等であることを特徴とする請求項３記載のサーバ。
【請求項５】
ポイントサービスのイベント情報を提供する提供手段、
を、更に具備することを特徴とする請求項１記載のサーバ。
【請求項６】
ポイントを付与した顧客情報からなる顧客情報データベースを有し、ポイントサービスを提供するサーバと、ネットワークを介して接続され、非接触型ＩＣカードを備えた携帯型端末であって、
複数のユーザの携帯型端末からなるコミュニティの共通ＩＤと共に、コミュニティ登録要求を、前記サーバに送信するコミュニティ登録要求手段と、
非接触通信手段を備えたリーダライタ端末と、非接触通信を行う通信手段と、
前記リーダライタ端末からの前記非接触型ＩＣカードの検出信号を受信すると、前記通信手段を介して、受信した情報に基づいて、前記サーバに対して、ポイント登録要求を送信するポイント登録要求手段と、
を具備することを特徴とする携帯型端末。
【請求項７】
前記通信手段は、
前記リーダライタ端末に対して、当該携帯型端末の認証を行うことを特徴とする請求項６記載の携帯型端末。
【請求項８】
前記コミュニティ登録要求手段、前記通信手段及び前記ポイント登録要求手段に相当する機能を実行するプログラムを前記非接触型ＩＣカードに格納することを特徴とする請求項６記載の携帯型端末。
【請求項９】
非接触型ＩＣカードを備えた複数のユーザの携帯型端末と、ネットワークを介して接続されるサーバと、非接触通信手段を備えたリーダライタ端末と、からなるポイントサービスを提供するシステムであって、
前記サーバは、
前記携帯型端末からの、複数のユーザの携帯型端末からなるコミュニティ登録要求に伴い、メンバ全ての前記携帯型端末に共通する共通ＩＤ、ポイント情報を少なくとも有する顧客情報を、顧客情報データベースに登録、保持し、
前記携帯型端末からのポイント登録要求に伴い、前記顧客情報データベースの当該携帯型端末に応じた顧客情報に、加算したポイントのポイント情報を登録、保持するポイント登録手段と、
前記ポイント登録手段によるポイント登録後、前記顧客情報データベースに基づいて、同じ共通ＩＤを有する顧客情報のポイントを合算するポイント合算手段と、
前記ポイント合算手段により合算したポイントに応じて、同じ共通ＩＤを有するメンバ全ての携帯型端末に、ポイントサービスのイベント情報を提供するＵＲＬを通知するＵＲＬ通知手段と、
を、備え、
前記携帯型端末は、
前記コミュニティの共通ＩＤと共に、コミュニティ登録要求を、前記サーバに送信するコミュニティ登録要求手段と、
前記リーダライタ端末と、非接触通信を行う通信手段と、
前記リーダライタ端末からの前記非接触型ＩＣカードの検出信号を受信すると、前記通信手段を介して、受信した情報に基づいて、前記サーバに対して、ポイント登録要求を送信するポイント登録要求手段と、
を具備することを特徴とするポイントサービスシステム。
【請求項１０】
コンピュータを請求項１から請求項５いずれかに記載のサーバとして機能させるプログラム。
【請求項１１】
コンピュータを請求項１から請求項５いずれかに記載のサーバとして機能させるプログラムを記録した記録媒体。
【請求項１２】
コンピュータを請求項６から請求項８いずれかに記載の携帯型端末として機能させるプログラム。
【請求項１３】
コンピュータを請求項６から請求項８いずれかに記載の携帯型端末として機能させるプログラムを記録した記録媒体。
【発明の詳細な説明】
【技術分野】
【０００１】
本発明は、非接触型ＩＣカードを備えたユーザの携帯型端末を利用して、複数のユーザにより生成するコミュニティに対するポイントサービスを提供するポイントサービスシステムに関する。
【背景技術】
【０００２】
近年、インターネット等に代表されるネットワーク技術、携帯電話等が急速に普及に伴い、携帯電話のような携帯型端末においても、インターネット上のＷｅｂページを閲覧するブラウザ機能、電子メール機能、撮像機能等の様々なサービスが提供されている。更に、非接触型ＩＣカード機能を搭載した携帯型端末も実用化されており、携帯端末機とＩＣカードを別々に携帯する不便も解消されている。非接触型ＩＣカード機能を搭載した携帯型端末においては、携帯電話と改札機で非接触通信を行い乗車賃の決済をするシステム（例えば、特許文献１）や、メニュ情報に基づくユーザの注文情報を非接触ＩＣカード内に保存し、注文時、非接触通信を行い、購入商品の代金の決済を行うシステム（例えば、特許文献２）等の多機能な技術が公開されている。
【０００３】
また、従来、商品の販売促進を図るための、販売促進キャンペーンとして、商品の購入者が応募することにより、景品が当たる等のサービスが行われている。キャンペーンを実施する際は、応募者が買い上げた商品等に付されたシールや紙片を応募用紙や葉書等に貼りつけて郵送等で応募したり、パーソナルコンピュータや携帯電話等から、インターネット等を介して、キャンペーンを実施している所定のサイトにアクセスし、応募ＩＤ等を入力、応募し、所定の賞品と交換を行うシステムや、商品の販売に応じて付加価値となるポイントを購入者に付与し、ポイントに応じてサービスを還元する商品販売促進システムが存在する。更に、非接触型ＩＣカード機能を搭載した携帯電話に電子マネーが組み込まれており、携帯電話を用いてネットワークに接続された自動販売機において商品を購入した場合に、自動販売機および携帯電話のそれぞれがその商品購入情報を、サーバに送信してポイントを蓄えてポイントに応じてサービス還元するシステムが開示されている（例えば、特許文献３）。
【０００４】
【特許文献１】特開２００３−７７０１９号公報
【特許文献２】特開２００３−２２４８３号公報
【特許文献３】特開２００２−４２２１６号公報
【発明の開示】
【発明が解決しようとする課題】
【０００５】
従来の販促手法においては、様々の手法、技術が模索されており、多数の顧客を自らの企業グループ内に取り込むための具体的かつ有効な手法を提案・開発することが要望されていた。また、携帯電話製造メーカや通信会社では、携帯電話利用者を囲い込み、増加させるための有効的な携帯電話サービスを提案・開発することが求められている。
【０００６】
本発明は、以上の点に鑑みてなされたものであり、非接触型ＩＣカードを備えたユーザの携帯型端末を利用して、複数のユーザにより生成するコミュニティに対するポイントサービスを提供するポイントサービスシステム等を提供することを目的とする。
【課題を解決するための手段】
【０００７】
前述した目的を達成するために第１の発明は、非接触型ＩＣカードを備えた複数のユーザの携帯型端末と、ネットワークを介して接続され、ポイントサービスを提供するサーバであって、前記携帯型端末からの、複数のユーザの携帯型端末からなるコミュニティ登録要求に伴い、メンバ全ての前記携帯型端末に共通する共通ＩＤ、ポイント情報を少なくとも有する顧客情報を、顧客情報データベースに登録、保持するコミュニティ登録手段と、前記携帯型端末からのポイント登録要求に伴い、前記顧客情報データベースの当該携帯型端末に応じた顧客情報に、加算したポイントのポイント情報を登録、保持するポイント登録手段と、前記ポイント登録手段によるポイント登録後、前記顧客情報データベースに基づいて、同じ共通ＩＤを有する顧客情報のポイントを合算するポイント合算手段と、前記ポイント合算手段により合算したポイントに応じて、同じ共通ＩＤを有するメンバ全ての携帯型端末に、ポイントサービスのイベント情報を提供するＵＲＬを通知するＵＲＬ通知手段と、を具備することを特徴とするサーバである。
【０００８】
また、前記ポイント登録手段によるポイント登録後、ポイント登録状況を同じ共通ＩＤを有する他のメンバの携帯型端末にメール送信するポイント状況通知手段、を更に具備することが望ましい。
【０００９】
第１の発明によるサーバは、携帯型端末からの、複数のユーザの携帯型端末からなるコミュニティ登録要求に伴い、メンバ全ての携帯型端末に共通する共通ＩＤ、ポイント情報を少なくとも有する顧客情報を、顧客情報データベースに登録、保持し、携帯型端末からのポイント登録要求に伴い、顧客情報データベースの当該携帯型端末に応じた顧客情報に、加算したポイントのポイント情報を登録、保持し、ポイント登録後、顧客情報データベースに基づいて、同じ共通ＩＤを有する顧客情報のポイントを合算し、合算したポイントに応じて、同じ共通ＩＤを有するメンバ全ての携帯型端末に、ポイントサービスのイベント情報を提供するＵＲＬを通知する。
【００１０】
「携帯型端末」は、携帯電話やＰＤＡ（Ｐｅｒｓｏｎａｌ Ｄｉｇｉｔａｌ Ａｓｓｉｓｔａｎｃｅ）等であり、本発明で用いる携帯型端末は、非接触型ＩＣカードを備えた携帯型端末である。
「非接触型ＩＣカード」は、カード内部にアンテナの役目を果たすコイルが内蔵されており、端末のリーダ／ライタから発生している磁界にカードをかざすと無線通信でデータのやりとりができる。非接触型ＩＣカードは、通信方式の違いによってＴｙｐｅ
Ａ、Ｔｙｐｅ Ｂ、ＦｅｌｉＣａ（商標）方式の３タイプに分類される。
「コミュニティ」とは、複数のメンバからなる共通する特定の興味分野を軸に構成されるユーザのグループのことである。
【００１１】
第１の発明では、複数のメンバから構成したコミュニティによるポイント付与することにより、各利用者のポイントを、コミュニティで合算したポイントに応じて、サービスを取得できるため、高額な特典に還元され、また、利用する範囲が広がり、顧客にとって魅力の多いポイントサービスシステムを提供可能となると共に、顧客に対して有効的な販売促進効果が得られる。
また、商品購入に伴うポイント登録を携帯型端末からネットワークを通じて行うことができるポイントサービスシステムを提供できる。
【００１２】
また、第２の発明は、ポイントを付与した顧客情報からなる顧客情報データベースを有し、ポイントサービスを提供するサーバと、ネットワークを介して接続され、非接触型ＩＣカードを備えた携帯型端末であって、複数のユーザの携帯型端末からなるコミュニティの共通ＩＤ共にコミュニティ登録要求を、前記サーバに送信するコミュニティ登録要求手段と、非接触通信手段を備えたリーダライタ端末と、非接触通信を行う通信手段と、前記リーダライタ端末からの前記非接触型ＩＣカードの検出信号を受信すると、前記通信手段を介して、受信した情報に基づいて、前記サーバに対して、ポイント登録要求を送信するポイント登録要求手段と、を具備することを特徴とする携帯型端末である。
【００１３】
第２の発明による携帯型端末は、複数のユーザの携帯型端末からなるコミュニティの共通ＩＤ、自メールアドレスと共にコミュニティ登録要求を、サーバに送信し、非接触型ＩＣカードとの非接触通信手段を備えたリーダライタ端末と、非接触通信を行い、リーダライタ端末からの非接触型ＩＣカードの検出信号を受信すると、受信した情報に基づいて、サーバに対して、ポイント登録要求を送信する。
【００１４】
また、第３の発明は、非接触型ＩＣカードを備えた複数のユーザの携帯型端末と、ネットワークを介して接続されるサーバと、前記非接触型ＩＣカードとの非接触通信手段を備えたリーダライタ端末と、からなるポイントサービスを提供するシステムであって、前記サーバは、前記携帯型端末からの、複数のユーザの携帯型端末からなるコミュニティ登録要求に伴い、メンバ全ての前記携帯型端末に共通する共通ＩＤ、ポイント情報を少なくとも有する顧客情報を、顧客情報データベースに登録、保持し、前記携帯型端末からのポイント登録要求に伴い、前記顧客情報データベースの当該携帯型端末に応じた顧客情報に、加算したポイントのポイント情報を登録、保持するポイント登録手段と、前記ポイント登録手段によるポイント登録後、前記顧客情報データベースに基づいて、同じ共通ＩＤを有する顧客情報のポイントを合算するポイント合算手段と、前記ポイント合算手段により合算したポイントに応じて、同じ共通ＩＤを有するメンバ全ての携帯型端末に、ポイントサービスのイベント情報を提供するＵＲＬを通知するＵＲＬ通知手段と、を、備え、前記携帯型端末は、前記コミュニティの共通ＩＤと共にコミュニティ登録要求を、前記サーバに送信するコミュニティ登録要求手段と、前記リーダライタ端末と非接触通信を行う通信手段と、前記リーダライタ端末からの前記非接触型ＩＣカードの検出信号を受信すると、前記通信手段を介して、受信した情報に基づいて、前記サーバに対して、ポイント登録要求を送信するポイント登録要求手段と、を具備することを特徴とするポイントサービスシステムである。
【００１５】
第３の発明は、第１の発明のサーバ、第２の発明の携帯型端末から構成されるポイントサービスシステムに関する発明である。
【００１６】
第４の発明は、コンピュータを第１発明のサーバとして機能させるプログラムである。
第５の発明は、コンピュータを第１の発明のサーバとして機能させるプログラムを記録した記録媒体である。
第６の発明は、コンピュータを第２発明の携帯型端末として機能させるプログラムである。
第７の発明は、コンピュータを第２の発明の携帯型端末として機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【発明の効果】
【００１８】
本発明は、以上の点に鑑みてなされたものであり、非接触型ＩＣカードを備えたユーザの携帯型端末を利用して、複数のユーザにより生成するコミュニティに対するポイントサービスを提供するポイントサービスシステム等を提供することができる。
【発明を実施するための最良の形態】
【００１９】
以下に、添付図面を参照しながら、本発明に係るポイントサービスシステム等の好適な実施形態について詳細に説明する。尚、以下の説明および添付図面において、略同一の機能構成を有する構成要素については、同一の符号を付することにより重複説明を省略することにする。
【００２０】
図１は、本実施の形態に係るポイントサービスシステム１００の概略構成を示す図である。図１は、ポイントサービスシステム１００の１例であり、図１に示すように、ポイントサービスシステム１００は、サービス提供会社１０２が有するサーバ１０１、複数のユーザ１０４の携帯型端末１０３、店舗（外部）１０６のリーダライタ端末１０５、ネットワーク１０９等からなる。
【００２１】
ポイントサービスシステム１００は、例えばインターネットなどのネットワーク１０９を介して、サーバ１０１と、携帯型端末１０３とが接続されて構成される。尚、ポイントサービスシステム１００は、ＷＷＷ（Ｗｏｒｌｄ  Ｗｉｄｅ  Ｗｅｂ）技術を用いて実現した構成図である。
【００２２】
サービス提供会社１０２は、ポイントサービスシステムを管理し運用する事業主（プロバイダ）であり、サーバ１０１を有する。サーバ１０１は、サーバコンピュータ等であり、Ｗｅｂサーバ、ポイントサービスアプリケーション、顧客情報データベース３０１等を有する。
【００２３】
サーバ１０１は、携帯型端末からの、複数のユーザの携帯型端末１０３からなるコミュニティ登録要求に伴い、顧客情報を、顧客情報データベース３０１に登録、保持する。また、携帯型端末１０３からのポイント登録要求に伴い、顧客情報データベースの当該携帯型端末に応じた顧客情報に、加算したポイントのポイント情報を登録、保持し、ポイント登録後、コミュニティの他のメンバの携帯型端末に登録ポイントの状況をメール送信し、コミュニティの顧客情報のポイントを合算し、合算したポイントに応じて、コミュニティのメンバ全ての携帯型端末に、ポイントサービスのイベント情報を提供するＵＲＬを通知する。
顧客情報データベース３０１には、ポイント情報を付与した顧客情報を有する。
【００２４】
ユーザ１０４は、サーバ１０１を利用する利用者であり、携帯型端末１０３を有する。携帯型端末１０３には、非接触型ＩＣカード部１０７を備え、店舗１０６等の外部のリーダライタ端末１０５と非接触通信を行う。また、携帯型端末１０３には、Ｗｅｂブラウザが搭載され、Ｗｅｂブラウザとして機能する。携帯型端末１０３は、Ｗｅｂブラウザを介して、サーバ１０１にアクセスし、複数のユーザの携帯型端末からなるコミュニティ登録要求を、サーバ１０１に送信する。また、携帯型端末１０３を外部のリーダライタ端末１０５にかざすことにより、サーバ１０１に対して、ポイント登録要求を送信する。
【００２５】
リーダライタ端末１０５は、店舗１０６、自動販売機等の外部に設置されており、携帯型端末１０３の非接触型ＩＣカード部１０７をリーダライタ端末１０５にかざすと、非接触通信を行う。
【００２６】
次に、サーバ１０１のハードウェア構成を説明する。図２は、サーバ１０１のハードウェア構成図である。
【００２７】
図２に示すように、サーバ１０１は、制御部２０１、記憶部２０２（ハードディスク）、メディア入出力部２０３（ドライブ装置）、通信制御部２０４（通信制御装置、通信ポート等）、入力部２０５（キーボード、マウス等）、プリンタポート２０６、表示部２０７（ディスプレイ）等が、バス２０９を介して接続される。
【００２８】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２９】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図８、図９、図１０参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３０】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するサーバ１０１が行う後述の各処理手段に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３１】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３２】
通信制御部２０４は、通信制御装置、通信ポート等を有し、サーバ１０１とネットワーク１０９間の通信を媒介する通信インタフェースであり、ネットワーク１０９を介して、サーバ１０１と、携帯型端末１０３の通信制御を行う。
【００３３】
入力部２０５は、データの入力を行い、例えば、キーボード、マウス等のポインティングデバイス、テンキー等の入力装置を有する。
【００３４】
表示部２０６は、ＣＲＴモニタ、液晶パネル等のディスプレイ装置、ディスプレイ装置と連携してコンピュータのビデオ機能を実現するための論理回路等（ビデオアダプタ等）を有する。
【００３５】
印刷部２０７は、プリンタであり、印刷出力処理を行う。
【００３６】
システムバス２０９は、各装置間の制御信号、データ信号等の授受を媒介する経路である。
【００３７】
次に、図３を参照しながら、サーバ１０１の記憶部２０２が保持する情報について説明する。図３は、記憶部２０２が保持する情報を示す図である。
【００３８】
図３に示すように、記憶装置２０２内には、顧客情報データベース３０１、及び制御プログラム３９１、アプリケーションプログラム３９２等が格納されている。
【００３９】
図４は、顧客情報データベース３０１のデータ構造を示す図である。
図４に示すように、顧客情報データベース３０１は、複数の顧客情報３１０からなる。顧客情報３１０は、共通ＩＤ３１１、固有ＩＤ３１２、個人情報３１３、ポイント情報３１４等を有する。
【００４０】
共通ＩＤ３１１は、コミュニティ登録したメンバ内の共通ＩＤである。コミュニティとは、友人、知人、家族、仕事関係等の２以上のメンバからなる共通する特定の興味分野を軸に構成されるユーザのグループのことである。例えば、草野球チームのメンバからなるコミュニティ「Ｔｏｒａ３９」、友人２人のコミュニティ「Ａ＆Ｂ」等である。
【００４１】
固有ＩＤ３１２は、該携帯型端末１０３の固有ＩＤであり、正当使用者／端末を特定するための認証情報として用いる。例えば、契約者識別情報等を格納する。
【００４２】
個人情報３１３には、該携帯型端末１０３のメールアドレス、生年月日、ニックネーム等を有する。
【００４３】
ポイント情報３１４は、店舗１０６等の外部でのリーダライタ端末１０５との非接触通信により発生したポイントを加算し格納する。
尚、顧客情報データベース３０１のデータ構成は、この構成に限られるものではない。
【００４４】
制御プログラム３９１は、サーバ１０１であるコンピュータの各構成部分を駆動制御するプログラムである。
アプリケーションプログラム３９２は、Ｗｅｂサーバ、ポイントサービスプログラム等の実行可能プログラムである（後述、各処理を説明する）。
【００４５】
次に、図５を参照しながら、携帯型端末１０３のハードウェア構成を説明する。図５は、携帯型端末１０３のハードウェア構成図である。
ユーザ１０４の携帯型端末１０３は、非接触型ＩＣカード部１０７を搭載し、例えば、携帯電話である。携帯型端末１０３は、制御部４０１、記憶部４０２、送受話部４０３、送受信部４０４、入力部４０５、表示部４０６、ＩＣカードＩ／Ｆ部４０７、アンテナ４１０、非接触型ＩＣカード部１０７等からなる。
【００４６】
制御部４０１は、ＣＰＵ、ＲＯＭ、ＲＡＭ等で構成され、記憶装置４０２に格納されたプログラムに従って、各装置を駆動制御する。
【００４７】
記憶部４０２には、各構成部分を駆動制御する制御プログラム、アプリケーションプログラムとして、メール送受信機能、Ｗｅｂブラウザ等に該当するプログラムである。
【００４８】
これらの各プログラムコードは、制御部４０１により必要に応じて読み出されてＲＡＭに移され、ＣＰＵに読み出されて各種の手段として実行される。
【００４９】
送受話部４０３は、スピーカなどの受話器、マイクなどの送話器である。
【００５０】
送受信部４０４は、携帯型端末１０３とネットワーク１０９間の通信を媒介する通信インタフェースであり、アンテナ４１０、ネットワーク１０９を介して、携帯型端末１０３と、サーバ１０１間の通信制御を行う。
入力部４０５は、データの入力を行い、例えば、操作キー、操作ボタン等であり、表示部４０６（ディスプレイ）に表示された操作案内、各種処理、操作を行う。
ＩＣカードＩ／Ｆ部４０７は、非接触型ＩＣカード部１０７と接触端子を通じてデータの授受を行うことにより通信を行うための接続部である。
【００５１】
非接触型ＩＣカード部１０７は、カード内部にアンテナの役目を果たすコイルが内蔵されており、端末のリーダ／ライタから発生している磁界にカードをかざすと無線通信でデータのやりとりを行う。非接触型ＩＣカード１０７は、データの読み書きができる距離や通信方式の違いによって、より細かく分類されている。まず距離の違いによって「密着型（〜２ｍｍ）」「近接型（〜１０ｍｍ）」「近傍型（〜７０ｍｍ）」などのタイプがあり、また、通信方式の違いによってＴｙｐｅ Ａ、Ｔｙｐｅ Ｂ、ＦｅｌｉＣａ（商標）方式の３タイプがある。
非接触型ＩＣカード部１０７は、制御部５０１、メモリ部５０２、接触Ｉ／Ｆ部５０３、非接触型ＩＣ無線通信部５０４、非接触型ＩＣアンテナ５０５等からなる。
【００５２】
制御部５０１は、ＣＰＵ、ＲＯＭ、ＲＡＭ等で構成され、メモリ部５０２に格納されたプログラムに従って、非接触型ＩＣカード部１０７を駆動制御する。
メモリ部５０２は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）からなり、データ記憶領域である。
接触Ｉ／Ｆ部５０３は、携帯型端末１０３のＩＣカードＩ／Ｆ部４０７を介してデータにより接触通信を行う。
非接触型ＩＣ無線通信部５０４は、非接触型ＩＣアンテナ５０５を介して外部のリーダライタ端末１０５との非接触通信を行う。
【００５３】
図６は、非接触型ＩＣカード部１０７のデータ構造の一態様を示す図である。
図６に示すように、非接触型ＩＣカード部１０７は、ＣＰＵ５１１、ＲＯＭ５１２、ＲＡＭ５１３、ＥＥＰＲＯＭ５１４等からなる。
【００５４】
ＲＯＭ５１２には、アプリケーションの追加・削除が可能なプラットフォーム型ＯＳを格納する。
ＥＥＰＲＯＭ５１４には、プラットフォーム型ＯＳに対応したアプリケーション５１５を複数搭載可能とする。例えば、アプリケーション５１５として、ＩＣカード用ポイントサービスアプリケーションプログラム、正当使用者／端末を特定するための固有ＩＤ（例えば、契約者識別情報等）を搭載、格納する。これらの情報は、携帯型端末１０３によってダウンロードされた情報を制御部４０１を介して記憶してもよい。
【００５５】
尚、非接触型ＩＣカード部１０７のデータ構造は、この構成に限られるものではない。
【００５６】
また、本実施の形態では、非接触型ＩＣカード部１０７のＥＥＰＲＯＭ５１４のアプリケーション５１５としてＩＣカード用ポイントサービスアプリケーションプログラムを搭載しているが、記憶部２０２に格納し、実行してもよい。
【００５７】
また、この非接触型ＩＣカード部１０７は、携帯電話機１０３から脱着可能に設けられてもよい。
【００５８】
次に、図７を参照しながら、ポイントサービスシステム１００全体の処理の流れと処理手段について説明する。図７は、ポイントサービスシステム１００全体の処理の流れと処理手段を示す図である。
【００５９】
サーバ１０１は、コミュニティ登録手段１１１、ポイント登録手段１１２、ポイント合算手段１１３、イベント提供手段１１４等を有する。
【００６０】
コミュニティ登録手段１１１は、携帯型端末１０３からの、複数のユーザの携帯型端末からなるコミュニティ登録要求に伴い、メンバ全ての携帯型端末１０３に共通する共通ＩＤ３１１、当該携帯型端末１０３の固有ＩＤ３１２、自メールアドレス、ポイント情報３１４等（登録情報１１）を少なくとも有する顧客情報３１０を、顧客情報データベース３０１に登録、保持する
ポイント登録手段１１２は、携帯型端末１０３からのポイント登録要求（ポイント登録情報１２）に伴い、顧客情報データベース３０１の当該携帯型端末１０３に応じた顧客情報３１０に、加算したポイントのポイント情報３１４を登録、保持し、他のメンバの携帯型端末１０３に当該携帯型端末１０３のポイント状況情報１３をメール送信する。
ポイント合算手段１１３は、ポイント登録手段１１２によるポイント登録後、顧客情報データベース３０１に基づいて、同じ共通ＩＤ３１１を有する顧客情報３１０のポイントを合算する。また、合算したポイントに応じて、同じ共通ＩＤ３１１を有するメンバ全ての携帯型端末１０３に、ポイントサービスのイベント情報を提供するＵＲＬ情報１４を送信する。
イベント提供手段１１４は、合算したポイントに応じて、同じ共通ＩＤ３１１を有するメンバ全ての携帯型端末１０３に、ポイントサービスのイベント情報１５を提供する。
【００６１】
携帯型端末１０３は、コミュニティ登録要求手段１２１、非接触通信手段１２２、ポイント登録要求手段１２３、イベント情報閲覧手段１２４等を有する。
【００６２】
コミュニティ登録要求手段１２１は、複数のユーザ１０４の携帯型端末１０３からなるコミュニティの共通ＩＤ、自メールアドレス等（登録情報１１）と共にコミュニティ登録要求を、サーバ１０１に送信する。
非接触通信手段１２２は、リーダライタ端末１０５と非接触通信を行う。
ポイント登録要求手段１２３は、リーダライタ端末１０５からの非接触型ＩＣカードの検出信号を受信すると、非接触通信手段１２２を介して、受信した情報に基づいて、サーバに対して、ポイント登録要求（ポイント登録情報１２）を送信する。
イベント情報閲覧手段１２４は、受け取ったＵＲＬ情報１４を用いて、サーバ１０１にアクセスし、受け取ったイベント情報１５を表示、閲覧する。
【００６３】
次に、図８を参照しながら、サーバ１０１における、携帯型端末１０３からのコミュニティ登録処理の処理手順について詳しく説明する。図８は、サーバ１０１における、携帯型端末１０３からのコミュニティ登録処理の処理手順の処理手順を示すフローチャートである。
【００６４】
サーバ１０１の記憶部２０２には、ポイントサービスプログラム、Ｗｅｂサーバの実行可能プログラムが格納されている。以下のサーバ１０１の処理は、この実行可能プログラムの制御に従って、サーバ１０１の制御部２０１によって行われる。
以降、携帯型端末１０３とサーバ１０１との間でのデータの送受信は、ＷｅｂブラウザとＷｅｂサーバを介して行われる。
【００６５】
ユーザ１０４−１、１０４−２の携帯型端末１０３−１、１０３−２の制御部４０１−１、４０１−２は、夫々Ｗｅｂブラウザを介して、サーバ１０１の所定サイトにアクセスし、ポイントサービス利用要求を行う（ステップＳ８０１）。
サーバ１０１の制御部２０１は、ＩＣカード用ポイントサービスアプリケーションプログラムを、携帯型端末１０３−１、１０３−２にダウンロードする（ステップＳ８０２）。
【００６６】
携帯型端末１０３−１、１０３−２の制御部４０１−１、４０１−２は、受信したＩＣカード用ポイントサービスアプリケーションプログラムを非接触型ＩＣカード部１０７のメモリ部５１２に格納し、実行させる（ステップＳ８０３）。制御部４０１−１、４０１−２は、Ｗｅｂブラウザを介して、サーバ１０１にアクセスし、コミュニティ登録要求を行う（ステップＳ８０４）。携帯型端末１０３−１、１０３−２は、コミュニティ登録要求に伴い、入力したコミュニティを形成するメンバで決定した共通ＩＤ３１１、メールアドレス、ニックネーム、生年月日等の個人情報３１３、及び保持されている携帯型端末１０３を認証する固有ＩＤ３１２（登録情報１１）をサーバ１０１に送信する。例えば、友人同士であるユーザ１０４−１「Ａ」とユーザ１０４−２「Ｂ」は、１つのコミュニティを作り、共通ＩＤ「Ａ＆Ｂ」で、夫々の携帯型端末１０３−１、１０３−２からコミュニティ登録を行う。
【００６７】
サーバ１０１の制御部２０１は、受け取った共通ＩＤ３１１、固有ＩＤ３１２、個人情報３１３等の登録情報を基に、ポイント情報３１４を付与した顧客情報３１０を顧客情報データベース３０１に登録、保持する（ステップＳ８０５）。
【００６８】
次に、図９、図１０を参照しながら、携帯型端末１０３の非接触型ＩＣカード１０７を外部のリーダライタ端末１０５にかざすことによるポイント登録処理及びポイントサービス処理の処理手順について詳しく説明する。図９、図１０は、携帯型端末１０３の非接触型ＩＣカード１０７を外部のリーダライタ端末１０５にかざすことによるポイント登録処理及びポイントサービス処理の処理手順を示すフローチャートである。
【００６９】
ユーザ１０４−１は、店舗１０６等の外部でリーダライタ端末１０５に携帯型端末１０３−１をかざす（ステップＳ９０１）。リーダライタ端末１０５は、店舗１０６、自動販売機、或いは自動改札機等の外部に設置されており、携帯型端末１０３をかざすことで、商品購入、駅での入退場等を行う際、ポイントを登録させたり、また、店舗内の所定場所にリーダライタ端末１０５を設置し、単に携帯型端末１０３をかざすことにより、ポイントを登録させてもよい。
リーダライタ端末１０５は、携帯型端末１０３−１の非接触型ＩＣカード部１０７を検出し、非接触型ＩＣカード部１０７と非接触通信を行い、ユーザ認証を行う（ステップＳ９０２）。
【００７０】
携帯型端末１０３−１の非接触型ＩＣカード部１０７は、リーダライタ端末１０５からの検出信号により、ＩＣカード用ポイントサービスアプリケーションを起動し、リーダライタ端末１０５と非接触通信を行う（ステップＳ９０３）。
非接触型ＩＣカード部１０７の制御部５０１は、ユーザ認証されると、携帯型端末１０３の制御部４０１を介して、サーバ１０１にポイント登録要求を送信する（ステップＳ９０４）。
【００７１】
サーバ１０１の制御部２０１は、携帯型端末１０３−１から受け取ったポイント登録要求に応じて、顧客情報データベース３０１の当該顧客情報３１０にポイント登録する（ステップＳ９０５）。制御部２０１は、携帯型端末１０３−１からのポイント登録要求時の固有ＩＤに一致する顧客情報３１０に対して、顧客情報データベース３０１の当該顧客情報３１０のポイント情報３１４にポイント加算し登録、保持する。
【００７２】
制御部２０１は、ポイント登録した携帯型端末１０３−１と同じコミュニティの他のメンバの携帯型端末１０３に携帯型端末１０３−１のポイント登録によるポイント状況情報１３をメール通知する（ステップＳ９０６）。制御部２０１は、当該顧客情報３１０の共通ＩＤ３１１と同じ共通ＩＤ３１１を有する顧客情報３１０を抽出し、抽出した顧客情報３１０のメールアドレス宛に、携帯型端末１０３−１のポイント情報３１４等のポイント状況情報１３を通知する。
例えば、ユーザ１０４−１が買い物で携帯型端末１０３−１を用いて決済する際、リーダライタ端末１０５に携帯型端末１０３−１をかざすことにより、ポイントが登録され、携帯型端末１０３−１の共通ＩＤ「Ａ＆Ｂ」と同じ共通ＩＤ３１１を有するコミュニティのメンバである携帯型端末１０３−２に対して、ポイント状況を示す「ユーザ１０４−１が買い物して５ポイントアップ、あと、２ポイントでオリジナルグッズがもらえるよ！！」等のメール送信を行う。
【００７３】
携帯型端末１０３−２の制御部４０１は、携帯型端末１０３−１のポイント状況情報１３のメールを受信する（ステップＳ９０７）。
【００７４】
携帯型端末１０３−２は、ステップＳ９０１からステップＳ９０７の携帯型端末１０３−１のポイント登録処理と同様に、例えば、商品購入時にポイント登録を行う。即ち、携帯型端末１０３−２は、外部の店舗１０６等のリーダライタ端末１０５に携帯型端末１０３−２をかざすことにより（ステップＳ１００１）、サーバ１０１に対してポイント登録要求を送信し（ステップＳ１００２からステップＳ１００４）、サーバ１０１は、顧客情報データベース３０１にポイント登録を行い（ステップＳ１００５）、他のメンバの携帯型端末１０３−１に、携帯型端末１０３−２のポイント状況情報１３をメール通知する（ステップＳ１００６、ステップＳ１００７）。
【００７５】
ポイント登録通知に伴う各携帯型端末１０３−１、１０３−２のポイント登録処理後、サーバ１０１の制御部２０１は、当該コミュニティのポイント合算を行う（ステップＳ１００８）。
サーバ１０１の制御部２０１は、合算ポイントに応じて、イベント・サービス情報を提供するＷｅｂページのＵＲＬ情報１４を、当該コミュニティのメンバ全ての携帯型端末１０３−１、１０３−２にメール通知する（ステップＳ１００９）。
【００７６】
携帯型端末１０３−１、１０３−２の制御部４０１は、受け取ったＵＲＬ情報１４を用いて、サーバ１０１の所定のサイトにアクセスする（ステップＳ１０１０）。
サーバ１０１の制御部２０１は、イベント・サービス情報１５を提供し（ステップＳ１０１１）、携帯型端末１０３−１、１０３−２の制御部４０１は、受け取ったイベント・サービス情報１５を表示、閲覧する（ステップＳ１０１２）。
【００７７】
次に、図１１を参照しながら、携帯型端末１０３の非接触型ＩＣカード部１０７とリーダライタ端末１０５との非接触通信処理（ステップＳ９０１からステップ９０４の処理）について詳しく説明する。図１１は、携帯型端末１０３の非接触型ＩＣカード部１０７とリーダライタ端末１０５との非接触通信処理の処理手順を示すフローチャートである。
【００７８】
リーダライタ端末１０５は、常時、非接触型ＩＣカード部１０７が接近したか否か判定する（ステップＳ１１０１）。
携帯型端末１０３をリーダライタ端末１０５にかざすことにより、非接触型ＩＣカード部１０７の接近を検出すると（ステップＳ１１０１のＹｅｓ）、リーダライタ端末１０５は、検出信号を送信する（ステップＳ１１０２）。
【００７９】
非接触型ＩＣカード部１０７の制御部５０１は、常時、検出信号待ちを行い、検出信号を受信すると（ステップＳ１１０３のＹｅｓ）、認証データを送信する（ステップＳ１１０４）。
リーダライタ端末１０５は、受信した認証データに基づいて、認証判定を行う（ステップＳ１１０５）。
認証判定後、正常であれば、非接触型ＩＣカード部１０７との通信を行う（ステップＳ１１０６、ステップＳ１１０７）。
【００８０】
非接触型ＩＣカード部１０７は、リーダライタ端末１０５との通信が終了すると（ステップＳ１１０８のＹｅｓ）、携帯型端末１０３の制御部４０１にポイント発生通知を行い（ステップＳ１１０９）、制御部４０１は、サーバ１０１に対して、ポイント登録要求を行う（ステップＳ１１１０）。
【００８１】
以上説明したように、本発明の実施の形態によれば、サーバ１０１は、携帯型端末１０３からの、複数のユーザ１０４の携帯型端末１０３からなるコミュニティ登録要求に伴い、メンバ全ての携帯型端末１０３に共通する共通ＩＤ３１１、当該携帯型端末１０３の固有ＩＤ３１２、自メールアドレス、ポイント情報３１４を少なくとも有する顧客情報３１０を、顧客情報データベース３０１に登録、保持する。外部のリーダライタ端末１０５に携帯型端末１０３をかざすと、携帯型端末１０３の非接触型ＩＣカード部１０７は、リーダライタ端末１０５からの検出信号を受信し、携帯型端末１０３からのポイント登録要求に伴い、顧客情報データベース３０１の当該携帯型端末に応じた顧客情報３１０に、加算したポイントのポイント情報を登録、保持し、ポイント状況情報を同じ共通ＩＤを有する他のメンバの携帯型端末１０３にメール送信する。更に、サーバ１０１は、顧客情報データベース３０１に基づいて、同じ共通ＩＤを有する顧客情報のポイントを合算し、合算したポイントに応じて、同じ共通ＩＤを有するメンバ全ての携帯型端末１０３に、イベント・サービス情報を提供するＵＲＬ情報を通知し、携帯型端末１０３は、ＵＲＬ情報を用いて、イベント・サービス情報を閲覧する。
【００８２】
これにより、複数のメンバから構成したコミュニティによるポイント付与することにより、各利用者のポイントを、コミュニティで合算したポイントに応じて、サービスを取得できるため、高額な特典に還元され、また、利用する範囲が広がり、顧客にとって魅力の多いポイントサービスシステムを提供可能となると共に、顧客に対して有効的な販売促進効果が得られる。
また、商品購入に伴うポイント登録を携帯型端末からネットワークを通じて行うことができるポイントサービスシステムを提供できる。
【００８３】
尚、本実施の形態では、イベント・サービス情報を提供するＵＲＬが示すＷｅｂページは、サーバ１０１内の所定アドレスに示すページ情報であったが、これに限らない。例えば、企業や店舗の管理するサーバ内のＷｅｂページ等であってもよい。
【００８４】
また、本実施の形態では、非接触型ＩＣカード部１０７のＥＥＰＲＯＭのアプリケーションとしてＩＣカード用ポイントサービスアプリケーションプログラムを搭載しているが、記憶部２０２に格納し、実行してもよい。
また、この非接触型ＩＣカード部１０７は、携帯電話機１０３から脱着可能に設けられてもよい。
【００８５】
尚、図８、図９、図１０、図１１等に示す処理を行うプログラムはＣＤ−ＲＯＭ等の記録媒体に保持させて流通させてもよいし、このプログラムを通信回線を介して送受することもできる。
【００８６】
以上、添付図面を参照しながら、本発明に係るポイントサービスシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８７】
【図１】本発明の本実施の形態に係るポイントサービスシステム１００の概略構成を示す図
【図２】サーバ１０１のハードウェア構成図
【図３】記憶部２０２が保持する情報を示す図
【図４】顧客情報データベース３０１のデータ構造を示す図
【図５】携帯型端末１０３のハードウェア構成図
【図６】非接触型ＩＣカード部１０７のデータ構造の一態様を示す図
【図７】ポイントサービスシステム１００全体の処理の流れと処理手段を示す図
【図８】サーバ１０１における、携帯型端末１０３からのコミュニティ登録処理の処理手順の処理手順を示すフローチャート
【図９】携帯型端末１０３の非接触型ＩＣカード１０７を外部のリーダライタ端末１０５にかざすことによるポイント登録処理及びポイントサービス処理の処理手順を示すフローチャート
【図１０】携帯型端末１０３の非接触型ＩＣカード１０７を外部のリーダライタ端末１０５にかざすことによるポイント登録処理及びポイントサービス処理の処理手順を示すフローチャート
【図１１】帯型端末１０３の非接触型ＩＣカード部１０７とリーダライタ端末１０５との非接触通信処理の処理手順を示すフローチャート
【符号の説明】
【００８８】
１００………ポイントサービスシステム
１０１………サーバ
１０２………サービス提供会社
１０３………携帯型端末
１０４………ユーザ
１０５………リーダライタ端末
１０７………非接触型ＩＣカード部
１０９………ネットワーク
１１１………コミュニティ登録手段
１１２………ポイント登録手段
１１３………ポイント合算手段
１１４………イベント・サービス情報提供手段
１２１………コミュニティ登録要求手段
１２２………非接触通信手段
１２３………ポイント登録要求手段
１２４………イベント・サービス情報閲覧手段
２０１、４０１、５０１………制御部
２０２、４０２、５０２………記憶部
３０１………顧客情報データベース
３１０………顧客情報
３１１………共通ＩＤ
３１２………固有ＩＤ
３１３………個人情報
３１４………ポイント情報
【図１】
2007157010.tif 000003
【図２】
2007157010.tif 000004
【図３】
2007157010.tif 000005
【図４】
2007157010.tif 000006
【図５】
2007157010.tif 000007
【図６】
2007157010.tif 000008
【図７】
2007157010.tif 000009
【図８】
2007157010.tif 000010
【図９】
2007157010.tif 000011
【図１０】
2007157010.tif 000012
【図１１】
2007157010.tif 000013